(57)【特許請求の範囲】
【請求項１】
前方に開口した収納箱に、前枠と後ろ枠と左右の側枠とからなる引出し枠を収納し、引出し枠の左右の側枠の前端部間に前側バーを横架し、上方に開口した袋体の上部の対向する２辺に左右２本のハンガー体を取り付け、前方に向けた左右２本のハンガー体の各前端部を前側バーに着脱自在に係止させ且つ前側バーに突設した位置決めピンにて位置決めし、ハンガー体の各後端部を後ろ枠に着脱自在に係止させ且つ後ろ枠に突設した位置決めピンにて位置決めしてなることを特徴とする引出しの構造。
【発明の詳細な説明】
【０００１】
【発明の属する技術分野】
本発明は、引出しの構造に関し、詳しくは収納家具に衣類を出し入れ自在に収納するための技術に関するものである。
【０００２】
【従来の技術】
一般に、クローゼットや洋服だんす等の衣類収納家具において、図７に示すように、前方に開口した収納箱１内部に１本の横向きバーを架設し、これにハンガーによりスーツやスラックス等の衣類９を吊り下げるようにしている。
【０００３】
このように収納箱１内部にバーを固定した構造にあっては、外部から衣類９全体を見渡すことができず、衣類選びやその出し入れに手間がかかり、またバーの取り付け位置にも制約があった。
【０００４】
他の従来例として、図８に示すように、前方Ｆに出し入れ自在にとした引出し７０の内部に衣類等を収納している場合にあっては、この種の引出し７０は収納箱１に対して簡単に外れないように半固定されている場合が一般的であり、引出し７０を取り外して持ち運んだりするときには取り外しに手間がかかり、清掃も困難であった。
【０００５】
【発明が解決しようとする課題】
本発明は上記の点に鑑みてなされたものであり、その目的とするところは、衣類選びやその出し入れを容易に行うことができる引出しの構造を提供するにあり、別の目的とするところは、衣類等を収納する袋体を収納箱から容易に取り外すことができ、持ち運びや清掃を楽に行うことができる引出しの構造を提供するにある。
【０００６】
【課題を解決するための手段】
上記課題を解決するために請求項１記載の発明は、前方Ｆに開口した収納箱１に、前枠３と後ろ枠５と左右の側枠４とからなる引出し枠２を収納し、引出し枠２の左右の側枠４の前端部４ａ，４ａ間に前側バー６を横架し、上方に開口した袋体１７の上部の対向する２辺１７ａ，１７ｂに左右２本のハンガー体７を取り付け、前方Ｆに向けた左右２本のハンガー体７の各前端部７ａを前側バー６に着脱自在に係止させ且つ前側バー６に突設した位置決めピン１８にて位置決めし、ハンガー体７の各後端部７ｂを後ろ枠５に着脱自在に係止させ且つ後ろ枠５に突設した位置決めピン１９にて位置決めしてなることを特徴としており、このように構成することで、引出し枠２を引き出すことによってハンガー体７と衣類等を収納する袋体１７とが一緒に外側に引き出されることとなり、この状態で引出し枠２の上方から左右２本のハンガー体７を持って袋体１７ごと上方に取り出すことができる。またハンガー体７は引出し枠２の前側バー６と後ろ枠５とに着脱自在であるので、袋体１７の取り外しを引出し枠２の上からワンタッチで行うことができると共に、袋体１７をそのまま持ち運びできるので、使い勝手が良くなる上に清掃も容易にできる。さらに袋体１７を戻す際にも袋体１７の上部に左右２本のハンガー体７を取り付け、このハンガー体７を前側バー６と後ろ枠５とに架け渡すだけで、袋体１７を引出し枠２に対してがたつきなく、しかも安定良く吊り下げ支持できるようになる。また、ハンガー体７は、袋体１７の上部の対向する２辺１７ａ，１７ｂにそれぞれ取り付けられるので、袋体１７を引出し枠２に取り付けたままでも、ハンガー体７で邪魔されることなく袋体１７内からの衣類等の出し入れを容易に行うことができる。そのうえ引出し枠２の出し入れ時などに左右２本のハンガー体７を位置決めピン１８，１９によって略平行な状態で保持でき、これにより袋体１７を大きく広げた状態で保持できるようになる。
【０００８】
【発明の実施の形態】
以下、本発明の実施の形態の一例としてクローゼットＡを例示する。
【０００９】
クローゼットＡは、図１に示すように、建物に据え付けられた収納箱１と、収納箱１の開口部を開閉する扉８とで構成されており、収納箱１内の上半部には上下複数段の収納棚１０が設置され、下半部には前方Ｆに開口した衣類吊り下げ用収納空間Ｓが設けられ、この衣類吊り下げ用収納空間Ｓ内に引出しが収納されている。この引出しは、前方Ｆに向かって引き出し自在とされた平面視ロ字状の引出し枠２と、引出し枠２の下面側に着脱自在に取り付けられたハンガー体７と、上方に開口した袋体１７とからなる。
【００１０】
引出し枠２は、図２に示すように、取手３０が設けられた前枠３と、互いに平行な左右の側枠４，４と、側枠４，４の後端部４ｂ，４ｂ間に架設されるバー形状の後ろ枠５と、前枠３の後側で且つ側枠４，４の前端部４ａ，４ａ間に架設される前側バー６とが一体に構成されている。ここでは、図５、図６に示すように、前側バー６とバー形状をした後ろ枠５とが同じ高さで且つ略同じ長さに設定され、後述する袋体１７に取り付けられた左右２本のハンガー体７を前側バー６上と後ろ枠５上とに水平状態で安定良く載置できるようになっている。また図３に示すように、上半部に設置された収納棚１０のうちの最下段の収納棚１０の下面に引出し枠２が近接配置され、引出し枠２の収納状態で該最下段の収納棚１０の前端部と引出し枠２の前枠３の上端部との間に隙間をなくして外観上の一体感が得られるようにしてある。もちろん、最下段の収納棚１０の下方に隙間をあけて引出し枠２を配置してもよいものである。
【００１１】
上記引出し枠２は、図３に示すレール１１を介して収納箱１にスライド自在に支持されている。レール１１の構造は特に限定されず、例えば引出し枠２の左右の側枠４の外面に凸状レールをそれぞれ取り付け、収納箱１の対向する内側壁にそれぞれ前後方Ｂ向に沿って凹状レールを取り付け、各凹状レール内に凸状レールをスライド嵌合させた構造であってもよい。
【００１２】
上記引出し枠２には、図２に示すように、上方に開口した袋体１７がハンガー体７により着脱自在に係止されている。袋体１７の上部の対向する２辺１７ａ，１７ｂが筒形状にそれぞれ形成され、これにハンガー体７が各々挿入されている。そして、左右２本のハンガー体７をそれぞれ前方Ｆに向けた状態で、ハンガー体７の各前端部７ａが前側バー６に着脱自在に係止され、且つハンガー体７の各後端部７ｂがバー形状をした後ろ枠５に着脱自在に係止されている。本例では図５、図６に示すように、前側バー６の左右両端部にはハンガー体７の前端部７ａ側を位置決めする位置決めピン１８が突設され、後ろ枠５の左右両端部にもハンガー体７の後端部７ｂ側を位置決めする位置決めピン１９が突設されており、引出し枠２の出し入れ時などに左右２本のハンガー体７を位置決めピン１８，１９によって略平行な状態で保持でき、これにより袋体１７を大きく広げた状態で保持できるようになっている。なお、図４において、袋体１７の深さｄ1は例えば３７０ｍｍ、横巾ｄ2は例えば４０３ｍｍ、縦巾ｄ3は例えば３８５ｍｍ、ハンガー体７への掛け代ｄ4は例えば４０ｍｍとされているが、勿論、これらの数値に限定されるものではない。
【００１３】
しかして、図３（ｂ）に示すように、引出し枠２を引き出すことによってハンガー体７とこれに取り付けられた袋体１７とが収納箱１の外側に引き出されることとなり、図３（ｃ）に示すように、引出し枠２の上方から左右２本のハンガー体７を手で持って袋体１７ごと上方に取り出すことができる。このとき、ハンガー体７は引出し枠２の前側バー６と後ろ枠５とに単に載置されているだけなので、袋体１７の取り外しを引出し枠２の上からワンタッチで行うことができ、従来のように収納箱１に半固定された引出しをいちいち取り外す手間を省くことができると共に、袋体１７をハンガー体７ごと、そのまま持ち運びできるので、使い勝手が良くなる上に袋体１７の軽量化によって、楽に持ち運びができると共に、清掃も容易にできる。また、袋体１７を戻す際にも袋体１７の上部に左右２本のハンガー体７を取り付け、このハンガー体７を前側バー６と後ろ枠５とに架け渡すだけで、袋体１７を引出し枠２に対してがたつきなく、しかも安定良く吊り下げ支持できるようになる。さらに、ハンガー体７は、袋体１７の上部の対向する２辺１７ａ，１７ｂにそれぞれ取り付けられるので、袋体１７を引出し枠２に取り付けたままでも、ハンガー体７で邪魔されることなく袋体１７内からの衣類等の出し入れを容易に行うことができる。
【００１６】
本発明の引出しの構造は、建物に据え付けられたクローゼットに限らず、洋服だんすのような置き家具など、衣類収納家具全般に広く適用されるものである。
【００１７】
【発明の効果】
上記のように本発明のうち請求項１記載の発明は、前方に開口した収納箱に、前枠と後ろ枠と左右の側枠とからなる引出し枠を収納し、引出し枠の左右の側枠の前端部間に前側バーを横架し、上方に開口した袋体の上部の対向する２辺に左右２本のハンガー体を取り付け、前方に向けた左右２本のハンガー体の各前端部を前側バーに着脱自在に係止させ、ハンガー体の各後端部を後ろ枠に着脱自在に係止させてなるので、引出し枠を引き出すことによってハンガー体と衣類等を収納する袋体とが一緒に外側に引き出されることとなり、この状態で引出し枠の上方から左右２本のハンガー体を持って袋体ごと上方に取り出すことができる。しかもハンガー体は引出し枠の前側バーと後ろ枠とに着脱自在であるので、袋体の取り外しを引出し枠の上からワンタッチで行うことができると共に、袋体をそのまま持ち運びできるので、使い勝手が良くなる上に清掃も容易にできる。さらに、袋体を戻す際にも左右２本のハンガー体を前側バーと後ろ枠とに架け渡すだけでよく、袋体を引出し枠に対してがたつきなく、且つ安定良く吊り下げ支持できるものとなり、さらにハンガー体は、袋体の上部の対向する２辺にそれぞれ取り付けられるので、袋体を引出し枠に取り付けたままでも、袋体内からの衣類の出し入れをハンガー体で邪魔されることなく容易に行うことができる。そのうえ引出し枠の出し入れ時などに左右２本のハンガー体を位置決めピンによって略平行な状態で保持でき、これにより袋体を大きく広げた状態で保持できるものである。
【図面の簡単な説明】
【図１】本発明の実施形態の一例の斜視図である。
【図２】（ａ）は同上の引出し枠の引き出し方向を説明する斜視図、（ｂ）はハンガー体が取り付けられた袋体の斜視図である。
【図３】（ａ）は同上の引出し枠の収納状態を説明する側面図、（ｂ）は引出し枠の引き出し状態を説明する側面図、（ｃ）は袋体の取り外し状態を説明する側面図である。
【図４】同上の袋体の寸法を説明する斜視図である。
【図５】同上の袋体のハンガー体を引出し枠に取り付けた状態を説明する側面図である。
【図６】（ａ）は図５の平面図、（ｂ）は正面図である。
【図７】従来例の衣類収納家具を説明する斜視図である。
【図８】  他の従来例の衣類収納家具を説明する斜視図である。
【図１】
0003541710.tif 000002
【図２】
0003541710.tif 000003
【図３】
0003541710.tif 000004
【図４】
0003541710.tif 000005
【図５】
0003541710.tif 000006
【図６】
0003541710.tif 000007
【図７】
0003541710.tif 000008
【図８】
0003541710.tif 000009